(57)【要約】【課題】操作画面の操作性を改善する。【解決手段】レイアウト変更装置１は、操作者が操作する操作画面のレイアウトを変更する装置であり、レイアウトの変更を制御する制御手段２を備える。制御手段２は、操作画面を操作する操作者の操作熟練度を特定可能な情報である熟練度情報１０と、操作熟練度に応じて課せられるレイアウトの変更制限を示す情報である制限情報１１とに基づいて、操作者が操作画面のレイアウトを変更する場合に課せられる変更制限を特定する。そして制御手段２は、特定した変更制限の範囲内で操作者からのレイアウトの変更を受付ける。【選択図】図１
2019101653.tif 000002
【特許請求の範囲】
【請求項１】
操作画面を操作する操作者の操作熟練度を特定可能な熟練度情報と、前記操作熟練度に応じて課せられるレイアウトの変更制限を示す制限情報とに基づいて、前記操作者が前記操作画面のレイアウトを変更する場合に課せられる前記変更制限を特定し、特定した前記変更制限の範囲内でレイアウトの変更を受付ける制御手段を備える、レイアウト変更装置。
【請求項２】
前記変更制限は、前記操作熟練度が高いほどレイアウトの変更内容が少ないように設定されている、
請求項１に記載のレイアウト変更装置。
【請求項３】
前記操作画面は、公営競技において審判員が操作する画面であり、
前記制御手段は、前記操作者の操作歴に基づいて前記操作熟練度を特定する、
請求項１に記載のレイアウト変更装置。
【請求項４】
前記制御手段は、前記操作者によるレイアウトの変更前の前記操作画面の使用期間に基づいて前記操作熟練度を特定する、
請求項１に記載のレイアウト変更装置。
【請求項５】
前記制御手段は、前記操作者によるレイアウトの変更前の前記操作画面の所定期間内における操作ミスの回数に基づいて前記操作熟練度を特定する、
請求項１に記載のレイアウト変更装置。
【請求項６】
前記操作画面は、識別番号を入力する画面であり、
レイアウトの変更では、入力可能な識別番号それぞれに対応する操作部により識別番号を入力する態様と、テンキーにより識別番号を入力する態様とを変更可能である、
請求項１に記載のレイアウト変更装置。
【請求項７】
コンピュータが、
操作画面を操作する操作者の操作熟練度を特定可能な熟練度情報と、前記操作熟練度に応じて課せられるレイアウトの変更制限を示す制限情報とに基づいて、前記操作者が前記操作画面のレイアウトを変更する場合に課せられる前記変更制限を特定し、特定した前記変更制限の範囲内で前記レイアウトの変更を受付ける、処理を実行する、
レイアウト変更方法。
【請求項８】
コンピュータに、
操作画面を操作する操作者の操作熟練度を特定可能な熟練度情報と、前記操作熟練度に応じて課せられるレイアウトの変更制限を示す制限情報とに基づいて、前記操作者が前記操作画面のレイアウトを変更する場合に課せられる前記変更制限を特定し、特定した前記変更制限の範囲内で前記レイアウトの変更を受付ける、処理を実行させる、
レイアウト変更プログラム。
【発明の詳細な説明】
【技術分野】
【０００１】
本発明は、レイアウト変更装置、レイアウト変更方法およびレイアウト変更プログラムに関する。
【背景技術】
【０００２】
操作者から操作画面を介して操作を受付ける装置がある。このような操作画面を介して操作を受付ける装置において、操作者が操作しやすいよう（操作性が向上するよう）に操作画面のレイアウトを操作者がみずから変更できる技術が知られている。
【先行技術文献】
【特許文献】
【０００３】
【特許文献１】特開平１１−１７５２２５号公報
【発明の概要】
【発明が解決しようとする課題】
【０００４】
ところで、操作者による操作画面のレイアウトを変更可能にした場合に、操作に慣れている操作者が操作画面のレイアウトを変更すると、前の操作画面に慣れているがためにレイアウトの変更がかえって操作性の低下につながってしまう場合（操作ミスの発生の原因となってしまう場合）があった。
【０００５】
本発明はこの点に鑑みてなされたものであり、操作画面の操作性を改善可能なレイアウト変更装置、レイアウト変更方法、およびレイアウト変更プログラムの提供を目的とする。
【課題を解決するための手段】
【０００６】
上記課題を解決するために、レイアウト変更装置を提供する。レイアウト変更装置は、制御手段を備える。制御手段は、操作画面を操作する操作者の操作熟練度を特定可能な熟練度情報と、操作熟練度に応じて課せられるレイアウトの変更制限を示す制限情報とに基づいて、操作者が操作画面のレイアウトを変更する場合に課せられる変更制限を特定し、特定した変更制限の範囲内でレイアウトの変更を受付ける。
【０００７】
また、上記課題を解決するために、レイアウト変更方法を提供する。レイアウト変更方法では、コンピュータが、操作画面を操作する操作者の操作熟練度を特定可能な熟練度情報と、操作熟練度に応じて課せられるレイアウトの変更制限を示す制限情報とに基づいて、操作者が操作画面のレイアウトを変更する場合に課せられる変更制限を特定し、特定した変更制限の範囲内でレイアウトの変更を受付ける、処理を実行する。
【０００８】
また、上記課題を解決するために、レイアウト変更プログラムを提供する。レイアウト変更プログラムでは、コンピュータに、操作画面を操作する操作者の操作熟練度を特定可能な熟練度情報と、操作熟練度に応じて課せられるレイアウトの変更制限を示す制限情報とに基づいて、操作者が操作画面のレイアウトを変更する場合に課せられる変更制限を特定し、特定した変更制限の範囲内でレイアウトの変更を受付ける、処理を実行させる。
【発明の効果】
【０００９】
本発明のレイアウト変更装置、レイアウト変更方法およびレイアウト変更プログラムによれば、操作画面の操作性を改善できる。
【図面の簡単な説明】
【００１０】
【図１】第一実施形態におけるレイアウト変更装置の構成を示す図である。
【図２】第二実施形態におけるトータリゼータシステムの構成例を示す図である。
【図３】第二実施形態における操作端末のハードウェアの構成例を示す図である。
【図４】第二実施形態における管理サーバおよび操作端末の機能ブロックを示す図である。
【図５】第二実施形態における基本操作画面を示す図（その１）である。
【図６】第二実施形態における基本操作画面を示す図（その２）である。
【図７】第二実施形態における基本操作画面を示す図（その３）である。
【図８】第二実施形態における基本操作画面を示す図（その４）である。
【図９】第二実施形態における操作者情報テーブルの一例を示す図である。
【図１０】第二実施形態における判定情報テーブルの一例を示す図である。
【図１１】第二実施形態における制限情報テーブルの一例を示す図である。
【図１２】第二実施形態における登録操作画面変更処理のフローチャートを示す図である。
【図１３】第二実施形態における選択画面の一例を示す図である。
【図１４】第二実施形態におけるレイアウト変更画面の一例を示す図（その１）である。
【図１５】第二実施形態におけるレイアウト変更画面の一例を示す図（その２）である。
【図１６】第二実施形態におけるレイアウト変更画面の一例を示す図（その３）である。
【発明を実施するための形態】
【００１１】
以下、本発明の実施の形態について図面を参照して説明する。
［第一実施形態］
図１は、第一実施形態におけるレイアウト変更装置の構成を示す図である。レイアウト変更装置１は、操作者が操作する操作画面のレイアウトを変更する装置である。レイアウト変更装置１は、制御手段２を備える。
【００１２】
制御手段２は、熟練度情報１０と、制限情報１１とに基づいて、操作者が操作画面のレイアウトを変更する場合に課せられる変更制限を特定し、特定した変更制限の範囲内でレイアウトの変更を受付ける。
【００１３】
熟練度情報１０は、操作画面を操作する操作者の操作熟練度を特定可能な情報である。熟練度情報１０は、たとえば、レイアウト変更装置１内部に設けられた記憶装置または外部に設けられた記憶装置に記憶されている。
【００１４】
制限情報１１は、操作者の操作熟練度に応じて課せられるレイアウトの変更制限（操作者の操作熟練度に応じて変更可能なレイアウトの内容）を示す情報である。制限情報１１は、たとえば、レイアウト変更装置１内部に設けられた記憶装置または外部に設けられた記憶装置に記憶されている。
【００１５】
たとえば、図１の熟練度情報１０に示すように操作者の熟練度が「上」であり、制限情報１１に示すように熟練度が「上」である場合にはＡを変更可能であり、ＢおよびＣの変更が不可能であり、熟練度が「中」である場合には、ＡおよびＢを変更可能であり、Ｃの変更が不可能であり、熟練度が「下」である場合には、Ａ、ＢおよびＣを変更可能である場合、制御手段２は、Ａ、ＢおよびＣのうち操作者が操作画面のレイアウトを変更する場合にＢおよびＣの変更が不可能であること、すなわち、Ａのみを変更可能であることを特定する。そして、制御手段２は、操作画面のレイアウトの変更において操作者からＡのみの変更を受付ける。
【００１６】
このようなレイアウト変更装置１によれば、操作者の操作画面の操作熟練度に応じて、レイアウトの変更制限をおこなうこと、すなわち、レイアウトを変更可能な内容を異ならせ、当該変更可能な範囲内でのレイアウトの変更を受付けることができる。
【００１７】
たとえば、操作が慣れている操作者（操作熟練度の高い操作者）に対しては、慣れている操作画面のレイアウトを変更したことによって生じ得る操作画面の操作性の低下と、レイアウトの変更によって期待される操作画面の操作性の向上とを比較勘案してレイアウトの変更制限を設け、一方で操作に慣れていない操作者（操作熟練度の低い操作者）に対しては、レイアウトの変更によって期待される操作画面の操作性の向上を考慮してレイアウトの変更制限を設けることで、レイアウト変更装置１は、レイアウトの変更による操作性の向上を図りつつ、レイアウトの変更による操作性の低下の抑止ができる（各操作熟練度において操作画面の操作性を改善できる範囲内でレイアウトの変更を受付けることができる）。
【００１８】
［第二実施形態］
次により具体的に第二実施形態を用いて説明する。図２は、第二実施形態におけるトータリゼータシステムの構成例を示す図である。
【００１９】
トータリゼータシステム１００は、競輪、競馬、競艇などの公営競技における投票券の発券、払い戻し、投票者（ファン）に対する情報提供（たとえば、着順の提供）などを実行するシステムである。なお、以下では競馬を一例として用いて説明する。
【００２０】
トータリゼータシステム１００は、管理サーバ２００と、操作端末３００と、投票端末４００と、場内表示装置５００と、を備える。管理サーバ２００と、操作端末３００と、投票端末４００と、場内表示装置５００とは、ネットワーク１５０を介して互いに接続する。
【００２１】
管理サーバ２００は、システム全体を管理する装置であり、データセンタ等に備えられ、競走に関する情報（購入者による予想や、売上、競走結果など）の集計および競走に関する情報の管理を行う。
【００２２】
操作端末３００は、競技を進行する審判員（以下、操作者）が操作する端末である。操作端末３００は、競走の結果（１着〜５着までの着順および各着順間の着差）の入力を操作者から受付ける。操作端末３００は、操作画面（タッチパネル）を介して操作者から入力を受付ける。トータリゼータシステム１００では、操作端末３００の操作画面は、操作者毎に異なるレイアウトを設定可能であり、各操作者がみずから使用する操作画面のレイアウトを変更可能である。着差は、競走対象（出走馬）がゴールに到達した時点と他の競争対象（出走馬）がゴールに到達した時点の差を、所定の単位で表示（競走対象（出走馬の体等）を単位として表示）したものである。例えば、競馬においては、ハナ（鼻）差、クビ（首）差、１／２馬身差等、競輪においては、１／４車輪差、２車身差等である。操作端末３００は、図示しない審判室などに配置される。
【００２３】
投票端末４００は、着順予想の投票を受付ける端末（投票券を発券する端末）である。投票端末４００は、投票者（ファン）によって操作される。投票端末４００は、競馬場などに配置される。
【００２４】
場内表示装置５００は、競馬場の場内に配置された表示装置である。場内表示装置５００は、投票者（ファン）に対して情報を表示する。場内表示装置５００は、操作端末３００が操作画面を介して操作者から入力された競走の結果（着順および着差）を投票者（ファン）に対して表示する。
【００２５】
次に、操作端末３００のハードウェア構成について図３を用いて説明する。図３は、第二実施形態における操作端末のハードウェアの構成例を示す図である。
操作端末３００は、プロセッサ３０１によって装置全体が制御されている。プロセッサ３０１には、バス３０９を介してＲＡＭ（Random Access Memory）３０２と複数の周辺機器が接続されている。プロセッサ３０１は、マルチプロセッサであってもよい。プロセッサ２０１は、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ３０１は、ＣＰＵ、ＭＰＵ、ＤＳＰ、ＡＳＩＣ、ＰＬＤのうちの２以上の要素の組み合わせであってもよい。
【００２６】
ＲＡＭ３０２は、操作端末３００の主記憶装置として使用される。ＲＡＭ３０２には、プロセッサ３０１に実行させるＯＳ（Operating System）のプログラムやアプリケーションプログラムの少なくとも一部が一時的に格納される。また、ＲＡＭ３０２には、プロセッサ３０１による処理に必要な各種データが格納される。
【００２７】
バス３０９に接続されている周辺機器としては、ＨＤＤ（Hard Disk Drive）３０３、グラフィック処理装置３０４、入出力インタフェース３０５、光学ドライブ装置３０６、機器接続インタフェース３０７およびネットワークインタフェース３０８がある。
【００２８】
ＨＤＤ３０３は、内蔵したディスクに対して、磁気的にデータの書き込みおよび読み出しを行う。ＨＤＤ３０３は、操作端末３００の補助記憶装置として使用される。ＨＤＤ３０３には、ＯＳのプログラム、アプリケーションプログラム、および各種データが格納される。なお、補助記憶装置としては、フラッシュメモリなどの半導体記憶装置を使用することもできる。
【００２９】
グラフィック処理装置３０４には、表示ユニットのディスプレイ３０４ａが接続されている。グラフィック処理装置３０４は、プロセッサ３０１からの命令に従って、画像をディスプレイ３０４ａの画面に表示させる。ディスプレイ３０４ａとしては、ＣＲＴ（Cathode Ray Tube）を用いた表示装置や液晶表示装置などがある。
【００３０】
入出力インタフェース３０５には、表示ユニットのタッチパネル３０５ａとキーボード３０５ｂとマウス３０５ｃとが接続されている。入出力インタフェース３０５は、表示ユニットのタッチパネル３０５ａとキーボード３０５ｂとマウス３０５ｃから送られてくる信号をプロセッサ３０１に送信する。なお、入出力装置としては、表示ユニットのタッチパネル３０５ａとキーボード３０５ｂとマウス３０５ｃに加え、他の装置を備えていてもよい。
【００３１】
なお、マウス３０５ｃは、ポインティングデバイスの一例であり、他のポインティングデバイスを使用することもできる。他のポインティングデバイスとしては、タブレット、タッチパッド、トラックボールなどがある。
【００３２】
光学ドライブ装置３０６は、レーザ光などを利用して、光ディスク３０６ａに記録されたデータの読み取りを行う。光ディスク３０６ａは、光の反射によって読み取り可能なようにデータが記録された可搬型の記録媒体である。光ディスク３０６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（Re Writable）などがある。
【００３３】
機器接続インタフェース３０７は、操作端末３００に周辺機器を接続するための通信インタフェースである。たとえば機器接続インタフェース３０７には、メモリ装置３０７ａやメモリリーダライタ３０７ｂを接続することができる。メモリ装置３０７ａは、機器接続インタフェース３０７との通信機能を搭載した記録媒体である。メモリリーダライタ３０７ｂは、メモリカード３０７ｃへのデータの書き込み、またはメモリカード３０７ｃからのデータの読み出しを行う装置である。メモリカード３０７ｃは、カード型の記録媒体である。
【００３４】
ネットワークインタフェース３０８は、ネットワーク１５０に接続されている。ネットワークインタフェース３０８は、ネットワーク１５０を介して、管理サーバ２００等との間でデータの送受信を行う。
【００３５】
以上のようなハードウェア構成によって、第二実施形態の処理機能を実現することができる。なお、管理サーバ２００等の処理機能についても図３に示した操作端末３００と同様のハードウェア構成により実現することができる。
【００３６】
次に管理サーバ２００および操作端末３００の機能について図４を用いて説明する。図４は、第二実施形態における管理サーバおよび操作端末の機能ブロックを示す図である。
管理サーバ２００は、レイアウト情報記憶部２１０と、操作者情報記憶部２２０と、判定情報記憶部２３０と、制限情報記憶部２４０とを備える。
【００３７】
レイアウト情報記憶部２１０は、操作端末３００の操作画面のレイアウトに関するレイアウト情報を記憶する。レイアウト情報は、操作画面を構成する各種構成要素（操作部（ボタン））の配置や大きさなどを識別可能な情報である。
【００３８】
レイアウト情報記憶部２１０が記憶するレイアウト情報としては、基本（ベース）となる操作画面（基本操作画面またはベーステンプレートともいう）に対応するレイアウト情報と、操作者によって基本操作画面からレイアウトの変更が施された操作画面に対応するレイアウト情報とがある。レイアウト情報記憶部２１０は、４種類の基本操作画面のレイアウト情報を記憶する。レイアウト情報記憶部２１０は、ベースとした基本操作画面を特定可能に、操作者によって基本操作画面からレイアウトの変更が施された操作画面に対応するレイアウト情報を記憶する。４種類の基本操作画面については後で図５〜８を用いて詳細に説明する。
【００３９】
操作者情報記憶部２２０は、予め登録された操作端末３００を操作する操作者（審判員）に関する操作者情報を記憶する。操作者情報は、たとえば、操作者が使用登録(設定）している操作画面（以下、登録操作画面）に対応するレイアウト情報を識別可能なレイアウト情報識別情報を含む。操作者情報については後で図９を用いて詳細に説明する。
【００４０】
判定情報記憶部２３０は、操作者情報に基づいて操作者の操作熟練度（習熟度）を判定するための判定情報を記憶する。たとえば、操作熟練度は、操作者の操作歴によって判定される。判定情報については後で図１０を用いて詳細に説明する。
【００４１】
制限情報記憶部２４０は、登録操作画面からレイアウトを変更するに際し、操作者に課せられるレイアウトの変更制限（制約）に関する制限情報を記憶する。レイアウト変更制限は、操作者熟練度に応じて課せられる。制限情報については後で図１１を用いて詳細に説明する。
【００４２】
操作端末３００は、操作処理部３１０と、レイアウト変更処理部３２０とを備える。操作処理部３１０は、操作者による操作画面を用いた入力操作（着順の入力、着差の入力）に関する処理を制御する。操作処理部３１０は、たとえば、操作者によって操作画面を介して入力された情報を、入力される度に場内表示装置５００に送信して表示させる。
【００４３】
レイアウト変更処理部３２０は、操作者による登録操作画面のレイアウト変更に関する処理を制御する。レイアウト変更処理部３２０は、操作者の現在の登録操作画面からのレイアウトの変更を、操作者に課せられる変更制限の範囲内で受付ける。レイアウト変更としては、たとえば、現在の登録操作画面を構成している各種構成要素の配置の変更、大きさの変更、色の変更、および登録操作画面のベースとなっている基本操作画面（ベーステンプレート）の変更などがある。
【００４４】
次に４種類の基本操作画面について図５〜図８を用いて説明する。図５は、第二実施形態における基本操作画面の一例を示す図（その１）である。図６は、第二実施形態における基本操作画面の一例を示す図（その２）である。図７は、第二実施形態における基本操作画面の一例を示す図（その３）である。図８は、第二実施形態における基本操作画面の一例を示す図（その４）である。
【００４５】
まず１つ目の基本操作画面について図５を用いて説明する。操作画面６００ａは、構成要素に変更（レイアウトの変更）が施されていない基本操作画面である。操作画面６００ａに対応するレイアウト情報は、レイアウト情報記憶部２１０に記憶されている。操作画面６００ａは、機械式（ハードウェア式）の操作部で構成された操作端末（従来の操作端末（タッチパネル式ではない操作端末））における操作部の配置に対応するように各種構成要素を配置した操作画面である。
【００４６】
操作画面６００ａは、第１の構成要素配置領域６１０と、第２の構成要素配置領域６２０と、第３の構成要素配置領域６３０と、第４の構成要素配置領域６４０とを含む。
第１の構成要素配置領域６１０は、着差の入力に用いる構成要素（操作部（ボタン））が配置された領域である。第２の構成要素配置領域６２０は、着順の入力に用いる構成要素（操作部（ボタン））が配置された領域である。第３の構成要素配置領域６３０は、入力の切り替えに用いる構成要素（操作部（ボタン））が配置された領域である。第４の構成要素配置領域６４０は、その他の用途の入力に用いられる構成要素（操作部（ボタン））が配置された領域である。
【００４７】
まず、第１の構成要素配置領域６１０について説明する。第１の構成要素配置領域６１０は、着順間（入力対象）の指定に用いる操作部（ボタン６１１ａ〜６１１ｄ）と、着順間の着差の入力に用いる操作部（ボタン６１２ａ〜６１２ｘ）とを備える。
【００４８】
ボタン６１１ａは、操作者が入力対象として１着と２着の着差を指定する場合（１着と２着の着順間の着差を入力する場合）に押下する押下式のボタンである。ボタン６１１ｂは、操作者が入力対象として２着と３着の着差を指定する場合（２着と３着の着順間の着差を入力する場合）に押下する押下式のボタンである。ボタン６１１ｃは、操作者が入力対象として３着と４着の着差を指定する場合（３着と４着の着順間の着差を入力する場合）に押下する押下式のボタンである。ボタン６１１ｄは、操作者が入力対象として４着と５着の着差を指定する場合（４着と５着の着順間の着差を入力する場合）に押下する押下式のボタンである。
【００４９】
ボタン６１２ａは、操作者が着順間の着差として「写真」を入力する場合に押下する押下式のボタンである。ボタン６１２ｂは、操作者が着順間の着差として「鼻（差）」（ハナ（差））を入力する場合に押下する押下式のボタンである。ボタン６１２ｃは、操作者が着順間の着差として「頭（差）」（アタマ（差））を入力する場合に押下する押下式のボタンである。ボタン６１２ｄは、操作者が着順間の着差として「首（差）」（クビ（差））を入力する場合に押下する押下式のボタンである。ボタン６１２ｅは、操作者が着差として「１／２（馬身差）」（２分の１：半（馬身差））を入力する場合に押下する押下式のボタンである。
【００５０】
ボタン６１２ｆは、操作者が着差として「３／４（馬身差）」（４分の３（馬身差））を入力する場合に押下する押下式のボタンである。ボタン６１２ｇは、操作者が着差として「１（馬身差）」を入力する場合に押下する押下式のボタンである。ボタン６１２ｈは、操作者が着差として「１ １／４（馬身差）」（１と４分の１（馬身差））を入力する場合に押下する押下式のボタンである。ボタン６１２ｉは、操作者が着差として「１ １／２（馬身差）」（１と２分の１（馬身差））を入力する場合に押下する押下式のボタンである。ボタン６１２ｊは、操作者が着差として「１ ３／４（馬身差）」（１と４分の３（馬身差））を入力する場合に押下する押下式のボタンである。
【００５１】
ボタン６１２ｋは、操作者が着差として「２（馬身差）」を入力する場合に押下する押下式のボタンである。ボタン６１２ｌは、操作者が着差として「２ １／２（馬身差）」（２と２分の１（馬身差））を入力する場合に押下する押下式のボタンである。ボタン６１２ｍは、操作者が着差として「３（馬身差）」を入力する場合に押下する押下式のボタンである。ボタン６１２ｎは、操作者が着差として「３ １／２（馬身差）」（３と２分の１（馬身差））を入力する場合に押下する押下式のボタンである。
【００５２】
ボタン６１２ｏは、操作者が着差として「４（馬身差）」を入力する場合に押下する押下式のボタンである。ボタン６１２ｐは、操作者が着差として「５（馬身差）」を入力する場合に押下する押下式のボタンである。ボタン６１２ｑは、操作者が着差として「６（馬身差）」を入力する場合に押下する押下式のボタンである。ボタン６１２ｒは、操作者が着差として「７（馬身差）」を入力する場合に押下する押下式のボタンである。
【００５３】
ボタン６１２ｓは、操作者が着差として「８（馬身差）」を入力する場合に押下する押下式のボタンである。ボタン６１２ｔは、操作者が着差として「９（馬身差）」を入力する場合に押下する押下式のボタンである。ボタン６１２ｕは、操作者が着差として「１０（馬身差）」を入力する場合に押下する押下式のボタンである。ボタン６１２ｖは、操作者が着差として「大差」を入力する場合に押下する押下式のボタンである。
【００５４】
ボタン６１２ｗは、着順間の差が確認できない場合に操作者が操作するスライド押下式のボタン（操作者が着差として「同着」を入力する場合にスライド押下するスライド押下式のボタン）である。スライド押下式のボタンは、押下した状態でスライド（図では右方向に移動）した場合に入力を受付ける。同着である場合には、払戻し等に影響を与える。そのため、ボタン６１２ｗは、他のボタン（押下式のボタン）よりも操作ミスが発生しにくい操作態様（スライド押下式）、すなわち、他のボタンよりも相対的に入力しにくい操作態様で構成されている。ボタン６１２ｘは、着差として入力した情報をキャンセル（クリア）する場合に操作者が押下する押下式のボタンである。
【００５５】
次に、第２の構成要素配置領域６２０について説明する。第２の構成要素配置領域６２０は、現在のレースＮＯ．を表示する表示部６２１と、レース毎に競走対象に設定される識別番号（馬番）を入力する着順（入力対象）の指定に用いる操作部（ボタン６２２ａ〜６２２ｅ）と、各着順に入力された馬番を表示する表示部（表示部６２３ａ〜６２３ｅ）と、馬番の入力に用いる操作部（ボタン６２４ａ〜６２４ｊ、ボタン６２５）とを備える。
【００５６】
表示部６２１は、現在のレースＮＯ．（レース番号）を表示する。ボタン６２２ａは、操作者が入力対象として１着の着順を指定する場合（１着の馬番を入力する場合）に押下する押下式のボタンである。ボタン６２２ｂは、操作者が入力対象として２着の着順を指定する場合（２着の馬番を入力する場合）に押下する押下式のボタンである。ボタン６２２ｃは、操作者が入力対象として３着の着順を指定する場合（３着の馬番を入力する場合）に押下する押下式のボタンである。ボタン６２２ｄは、操作者が入力対象として４着の着順を指定する場合（４着の馬番を入力する場合）に押下する押下式のボタンである。ボタン６２２ｅは、操作者が入力対象として５着の着順を指定する場合（５着の馬番を入力する場合）に押下する押下式のボタンである。
【００５７】
表示部６２３ａは、操作者が入力した１着の馬番を表示する表示部である。表示部６２３ｂは、操作者が入力した２着の馬番を表示する表示部である。表示部６２３ｃは、操作者が入力した３着の馬番を表示する表示部である。表示部６２３ｄは、操作者が入力した４着の馬番を表示する表示部である。表示部６２３ｅは、操作者が入力した５着の馬番を表示する表示部である。
【００５８】
ボタン６２４ａは、操作者が「０」を入力する場合に押下する押下式のボタンである。ボタン６２４ｂは、操作者が「１」を入力する場合に押下する押下式のボタンである。ボタン６２４ｃは、操作者が「２」を入力する場合に押下する押下式のボタンである。ボタン６２４ｄは、操作者が「３」を入力する場合に押下する押下式のボタンである。ボタン６２４ｅは、操作者が「４」を入力する場合に押下する押下式のボタンである。ボタン６２４ｆは、操作者が「５」を入力する場合に押下する押下式のボタンである。ボタン６２４ｇは、操作者が「６」を入力する場合に押下する押下式のボタンである。ボタン６２４ｈは、操作者が「７」を入力する場合に押下する押下式のボタンである。ボタン６２４ｉは、操作者が「８」を入力する場合に押下する押下式のボタンである。ボタン６２４ｊは、操作者が「９」を入力する場合に押下する押下式のボタンである。ボタン６２５は、入力した馬番をキャンセル（クリア）する場合に操作者が押下する押下式のボタンである。
【００５９】
このように操作画面６００ａは、馬番を入力するための操作部として「０」〜「９」のボタン（テンキー）を備えることで、操作者（審判員）による任意の馬番の入力を可能にしている。
【００６０】
次に、第３の構成要素配置領域６３０について説明する。第３の構成要素配置領域６３０は、着順および着差の入力を有効にする場合に用いる操作部（ボタン６３１）と、図示しない通過順位の入力端末（通過順位を入力する操作画面）を用いた通過順位の入力を有効にする場合に用いる操作部（ボタン６３２）とを備える。通過順位とは、レースにおいて所定の位置を通過した順位（レースにおける途中経過）である。
【００６１】
ボタン６３１は、着順および着差の入力を有効にする場合に操作者が操作するスライド押下式のボタンである。ボタン６３２は、図示しない通過順位の入力端末における入力を有効にする場合に操作者が操作するスライド押下式のボタンである。
【００６２】
たとえば、トータリゼータシステム１００では、通過順位と、着順および着差とは、排他的に入力可能であり、ボタン６３１を操作者がスライド押下した場合には、通過順位が入力不可となり、着順および着差が入力可能になる。一方で、ボタン６３２を操作者がスライド押下した場合には、着順および着差が入力不可となり、通過順位が入力可能になる。
【００６３】
次に、第４の構成要素配置領域６４０について説明する。第４の構成要素配置領域６４０は、テスト中であることを通知する場合に用いる操作部（ボタン６４１）と、レコード（新記録）が出た場合に用いる操作部（ボタン６４２）と、入力した着順および着差を全てクリアする場合に用いる操作部（ボタン６４３）と、ブザー（入力アラーム）を停止させる場合に用いる操作部（ボタン６４４）とを備える。
【００６４】
ボタン６４１は、着順および着差の入力の動作確認を行う場合に、テスト中であることを表示するために操作者が操作するスライド押下式のボタンである。ボタン６４２は、レース結果として新記録が発生した場合に、新記録であることを表示（レコードが更新されたことを表示）するために操作者が操作するスライド押下式のボタンである。ボタン６４３は、入力した着順および着差（入力に伴い場内表示装置５００に表示中の着順および着差）を全てクリアする場合に操作者が操作するスライド押下式のボタンである。ボタン６４３は、たとえば、次のレースが始まる場合に操作される。ボタン６４４は、入力ミス（たとえば、レースに出場している競走対象以外の馬番の入力）によって発生したブザー（エラー音）を停止させる場合に操作者が押下する押下式のボタンである。
【００６５】
以上が１つ目の基本操作画面である。次に２つ目の基本操作画面について図６を用いて説明する。なお、１つ目の基本操作画面と同様の構成については適宜説明を省略する。
操作画面６００ｂは、構成要素に変更（レイアウトの変更）が施されていない基本操作画面である。操作画面６００ｂは、操作画面６００ａにおける第２の構成要素配置領域６２０を構成していた馬番の入力に用いる操作部の態様をテンキー態様（０〜９のボタン）から１対１態様（出場する競走対象それぞれに対応するボタンを設けた態様）に変更した操作画面である。
【００６６】
操作画面６００ｂは、第１の構成要素配置領域６１０と、第２の構成要素配置領域６２０と、第３の構成要素配置領域６３０と、第４の構成要素配置領域６４０とを含む。
第２の構成要素配置領域６２０は、現在のレースＮＯ．を表示する表示部６２１と、競走対象の番号（馬番）を入力する着順（入力対象）の指定に用いる操作部（ボタン６２２ａ〜６２２ｅ）と、各着順に入力された馬番を表示する表示部（表示部６２３ａ〜６２３ｅ）と、馬番の入力に用いる操作部（ボタン６２６ａ〜６２６ｒ、ボタン６２５）とを備える。
【００６７】
ボタン６２６ａは、操作者が馬番として「１」を入力する場合に押下する押下式のボタンである。ボタン６２６ｂは、操作者が馬番として「２」を入力する場合に押下する押下式のボタンである。ボタン６２６ｃは、操作者が馬番として「３」を入力する場合に押下する押下式のボタンである。ボタン６２６ｄは、操作者が馬番として「４」を入力する場合に押下する押下式のボタンである。ボタン６２６ｅは、操作者が馬番として「５」を入力する場合に押下する押下式のボタンである。ボタン６２６ｆは、操作者が馬番として「６」を入力する場合に押下する押下式のボタンである。ボタン６２６ｇは、操作者が馬番として「７」を入力する場合に押下する押下式のボタンである。ボタン６２６ｈは、操作者が馬番として「８」を入力する場合に押下する押下式のボタンである。ボタン６２６ｉは、操作者が馬番として「９」を入力する場合に押下する押下式のボタンである。
【００６８】
ボタン６２６ｊは、操作者が馬番として「１０」を入力する場合に押下する押下式のボタンである。ボタン６２６ｋは、操作者が馬番として「１１」を入力する場合に押下する押下式のボタンである。ボタン６２６ｌは、操作者が馬番として「１２」を入力する場合に押下する押下式のボタンである。ボタン６２６ｍは、操作者が馬番として「１３」を入力する場合に押下する押下式のボタンである。ボタン６２６ｎは、操作者が馬番として「１４」を入力する場合に押下する押下式のボタンである。ボタン６２６ｏは、操作者が馬番として「１５」を入力する場合に押下する押下式のボタンである。ボタン６２６ｐは、操作者が馬番として「１６」を入力する場合に押下する押下式のボタンである。ボタン６２６ｑは、操作者が馬番として「１７」を入力する場合に押下する押下式のボタンである。ボタン６２６ｒは、操作者が馬番として「１８」を入力する場合に押下する押下式のボタンである。
【００６９】
なお、図６に示す操作画面６００ｂ（基本操作画面）において設けられた馬番の入力に用いる操作部（ボタン６２６ａ〜６２６ｒ）は、レースに出場可能な最大出場数に応じた数（ここでは「１８」）である。たとえば、実際の使用時においては、管理サーバ２００等からレースに出場する競争対象の数を取得して、当該競争対象の数に応じた数のボタンだけが表示される、すなわち、１対１態様である場合にはレースに応じて表示されるボタンの数が変化する。このように操作画面６００ｂは、レースに出場する競争対象の数に応じた数のボタン（ここでは各競走対象に対応する「１」〜「１８」のボタン）を備えることで、操作者（審判員）による１対１の馬番の入力を可能にしている。
【００７０】
なお、操作画面６００ｂ（基本操作画面）において設けられた馬番の入力に用いるボタンは、競走対象毎（１対１で）に設けられるため、たとえば、各ボタンの態様を各競走対象に応じた態様（たとえば、ボタンの色として競走対象に割り当てられた色を採用）とすることもできる。このように各競走対象に応じた態様とすることで、操作画面の操作性を向上（操作ミスを抑止）できる。
【００７１】
以上が２つ目の基本操作画面である。次に３つ目の基本操作画面について図７を用いて説明する。なお、１つ目および２つ目の基本操作画面と同様の構成については適宜説明を省略する。
【００７２】
操作画面６００ｃ１、６００ｃ２は、構成要素に変更（レイアウトの変更）が施されていない基本操作画面である。操作画面６００ｃ１、６００ｃ２は、操作画面６００ａにおいて１画面に表示していた２つの領域（第１の構成要素配置領域６１０と第２の構成要素配置領域６２０と）を排他的に表示するように（タブによって切替えて表示するように）変更した画面である。
【００７３】
操作画面６００ｃ１は、第２の構成要素配置領域６２０を表示している状態を示す。操作画面６００ｃ２は、第１の構成要素配置領域６１０を表示している状態を示す。
このように、２つの領域（第１の構成要素配置領域６１０と第２の構成要素配置領域６２０と）を１度に表示するのではなく、排他的に表示（タブによって切替えて表示）することで、それぞれの領域のサイズ、領域内に配置される構成要素（ボタン）のサイズ、および領域内に配置される構成要素（ボタン）間の間隔等をより大きくすることを可能にしている。すなわち、操作画面６００ａを用いる場合よりも操作性を向上（操作ミスを抑止）可能にしている。
【００７４】
以上が３つ目の基本操作画面である。次に４つ目の基本操作画面について図８を用いて説明する。なお、１つ目〜３つ目の基本操作画面と同様の構成については適宜説明を省略する。
【００７５】
操作画面６００ｄ１、６００ｄ２は、構成要素に変更（レイアウトの変更）が施されていない基本操作画面である。操作画面６００ｄ１、６００ｄ２は、操作画面６００ｂにおいて１画面に表示していた２つの領域（第１の構成要素配置領域６１０と第２の構成要素配置領域６２０と）を排他的に表示するように（タブによって切替えて表示するように）変更した画面である。
【００７６】
操作画面６００ｄ１は、第２の構成要素配置領域６２０を表示している状態を示す。操作画面６００ｄ２は、第１の構成要素配置領域６１０を表示している状態を示す。
このように、２つの領域（第１の構成要素配置領域６１０と第２の構成要素配置領域６２０と）を１度に表示するのではなく、排他的に表示することで、それぞれの領域のサイズ、領域内に配置される構成要素（ボタン）のサイズ、および領域内に配置される構成要素（ボタン）間の間隔等をより大きくすることを可能にしている。すなわち、操作画面６００ｂを用いた場合よりも操作性を向上（操作ミスを抑止）可能にしている。
【００７７】
次に操作者情報について図９を用いて説明する。図９は、第２実施形態における操作者情報テーブルの一例を示す図である。
操作者情報テーブル２２１は、操作者情報記憶部２２０が保持するテーブルである。操作者情報テーブル２２１は、予め登録した操作端末３００を操作する操作者（審判員）に関する操作者情報（審判員情報）が格納されたテーブルである。操作者情報テーブル２２１は、新規の登録がおこなわれた場合や、レイアウトの変更が行われた場合などに更新される。
【００７８】
操作者情報テーブル２２１は、ＩＤの項目と、パスワードの項目と、登録日の項目と、登録操作画面の項目とを含んで構成される。そして、各項目の横方向に並べられた情報同士が互いに関連付けられている。
【００７９】
ＩＤの項目には、操作者を一意に識別可能に設定された識別情報が格納される。パスワードの項目には、会員の認証に用いるパスワードが格納される。登録日の項目には、操作者情報を登録した日付（審判員（操作者）になった日付）が格納される。登録操作画面の項目には、操作者の現在の登録操作画面に対応するレイアウト情報（レイアウト情報記憶部２１０が記憶しているレイアウト情報）を一意に識別可能なレイアウト情報識別情報が格納される。
【００８０】
なお、トータリゼータシステム１００においては、１つ目の基本操作画面（操作画面６００ａ）のレイアウト情報識別情報として「＃０００１」が割り当てられ、２つ目の基本操作画面（操作画面６００ｂ）のレイアウト情報識別情報として「＃０００２」が割り当てられ、３つ目の基本操作画面（操作画面６００ｃ）のレイアウト情報識別情報として「＃０００３」が割り当てられ、４つ目の基本操作画面（操作画面６００ｄ）のレイアウト情報識別情報として「＃０００４」が割り当てられている。また、トータリゼータシステム１００においては、基本操作画面からレイアウトの変更を施した画面のレイアウト情報識別情報としては、ベースとした基本操作画面のレイアウト情報識別情報（たとえば、「＃０００４」）に付加情報（たとえば、「−３」）を付加した情報（たとえば、「＃０００４−３」）が割り当てられている。
【００８１】
たとえば、操作者情報テーブル２２１は、ＩＤの項目に「＃００２」、パスワードの項目に「３２１４５」、登録日の項目に「１９７７．０８．１２」、登録操作画面の項目に「＃０００４−３」が格納されている。
【００８２】
これは、ＩＤが「＃００２」である操作者のパスワードが「３２１４５」であり、登録日が「１９７７年８月１２日」であり、現在の登録操作画面のレイアウト情報識別情報が「＃０００４−３」であること、すなわち、現在の登録操作画面が４つ目の基本操作画面をベースとしてレイアウトの変更を施した画面であることを示している。
【００８３】
次に判定情報について図１０を用いて説明する。図１０は、第二実施形態における判定情報テーブルの一例を示す図である。
判定情報テーブル２３１は、判定情報記憶部２３０が保持するテーブルである。判定情報テーブル２３１は、操作者の操作熟練度の判定（特定）に用いる判定情報が格納されたテーブルである。
【００８４】
判定情報テーブル２３１は、操作熟練度の項目と、操作歴の項目とを含んで構成される。そして、各項目の横方向に並べられた情報同士が互いに関連付けられている。操作熟練度の項目には、操作熟練度を示す情報（「上」、「中」、「下」の三段階の情報）が格納される。操作歴の項目には、各操作熟練度に対応した操作歴（審判歴）が格納される。
【００８５】
たとえば、判定情報テーブル２３１は、操作熟練度中の項目に「中」が格納され、操作歴の項目に「５年〜１０年」が格納されている。これは、操作者の操作歴が「５年〜１０年」である場合（登録から５年〜１０年の間である場合）に、操作熟練度が「中」であると判定されることを示している。
【００８６】
次に制限情報について図１１を用いて説明する。図１１は、第二実施形態における制限情報テーブルの一例を示す図である。
制限情報テーブル２４１は、制限情報記憶部２４０が保持するテーブルである。制限情報テーブル２４１は、登録操作画面からレイアウトを変更するに際し、操作者に課せられるレイアウトの変更制限（制約）に関する制限情報を記憶する。
【００８７】
制限情報テーブル２４１は、操作熟練度の項目と、ボタンの色・大きさ変更の項目と、ボタンの位置変更の項目と、ベーステンプレート（ベースとなる基本操作画面）の変更の項目とを含んで構成される。そして、各項目の横方向に並べられた情報同士が互いに関連付けられている。
【００８８】
操作熟練度の項目には、操作熟練度を示す情報（「上」、「中」、「下」の三段階の情報）が格納される。ボタンの色・大きさ変更の項目には、ボタンの色・大きさを変更可能であるか否かを識別可能なフラグ情報が格納される。具体的には、ボタンの色・大きさ変更の項目は、ボタンの色・大きさを変更可能である場合（変更制限がない場合）には「〇」が格納され、ボタンの色・大きさを変更不可能である場合（変更制限がある場合）には「×」が格納される。
【００８９】
ボタンの位置変更の項目には、ボタンの位置変更が可能であるか否かを識別可能なフラグ情報が格納される。具体的には、ボタンの位置変更の項目は、ボタンの位置を変更可能である場合には「〇」が格納され、ボタンの位置を変更不可能である場合には「×」が格納される。
【００９０】
ベーステンプレートの項目には、ベーステンプレ―ト（ベースとなる基本操作画面）の変更が可能であるか否かを識別可能なフラグ情報が格納される。具体的には、ベーステンプレートの変更の項目は、ベーステンプレートの変更可能である場合には「〇」が格納され、ベーステンプレートの変更不可能である場合には「×」が格納される。
【００９１】
たとえば、制限情報テーブル２４１は、操作熟練度の項目に「上」が格納され、ボタンの色・大きさ変更の項目に「〇」が格納され、ボタンの位置変更の項目に「×」が格納され、ベーステンプレートの変更の項目に「×」が格納されている。
【００９２】
これは操作熟練度が「上」である場合には、ボタンの色・大きさ変更が可能であり、ボタンの位置変更およびベーステンプレートの変更が不可能であることを示している。
また、制限情報テーブル２４１は、操作熟練度の項目に「中」が格納され、ボタンの色・大きさ変更の項目に「〇」が格納され、ボタンの位置変更の項目に「〇」が格納され、ベーステンプレートの変更の項目に「×」が格納されている。
【００９３】
これは操作熟練度が「中」である場合には、ボタンの色・大きさ変更およびボタンの位置変更が可能であり、ベーステンプレートの変更が不可能であることを示している。
また、制限情報テーブル２４１は、操作熟練度の項目に「下」が格納され、ボタンの色・大きさ変更の項目に「〇」が格納され、ボタンの位置変更の項目に「〇」が格納され、ベーステンプレートの変更の項目に「〇」が格納されている。
【００９４】
これは操作熟練度が「下」である場合には、ボタンの色・大きさ変更、ボタンの位置変更、およびベーステンプレートの変更が可能であることを示している。
このような制限情報テーブル２４１によれば、操作熟練度が高い操作者ほどレイアウト（操作部の位置）を大きく変更できないようにレイアウトの変更制限を課すことができる（レイアウトの変更の自由度を下げることができる）。
【００９５】
このような制限情報テーブル２４１によれば、レイアウト変更により操作熟練度が高い操作者の登録操作画面のレイアウト（操作部の位置）が大きく変更されることを制限でき、レイアウトの変更によってかえって操作性が低下することを抑止できる。一方で、操作熟練度の低い（不慣れな）操作者については、レイアウトを大きく変更できるようにレイアウトの変更制限を課している（レイアウトの変更の自由度を高くしている）ので、レイアウトの変更による操作性の向上効果も維持できる。
【００９６】
次に操作者が登録操作画面からレイアウトを変更する場合に行われる処理について図１２を用いて詳細に説明する。図１２は、第二実施形態における登録操作画面変更処理のフローチャートを示す図である。
【００９７】
登録操作画面変更処理は、レイアウト変更処理部３２０によって行われる。登録操作画面変更処理は、ＩＤおよびパスワードによって認証済みの操作者が現在の登録操作画面からレイアウトを変更する場合に行われる処理である。
【００９８】
［ステップＳ１］レイアウト変更処理部３２０は、操作者情報テーブル２２１と、判定情報テーブル２３１とに基づいて操作者の操作熟練度を特定（判定）する。レイアウト変更処理部３２０は、操作者の登録日に基づいて操作者の操作歴（審判歴）を特定し、判定情報テーブル２３１を参照して操作者の操作熟練度が「上」、「中」、「下」のいずれであるか特定する。
【００９９】
［ステップＳ２］レイアウト変更処理部３２０は、特定した操作熟練度と、制限情報テーブル２４１とに基づいて操作者に課せられるレイアウトの変更制限の内容を特定する。
［ステップＳ３］レイアウト変更処理部３２０は、新たに登録する登録操作画面のベースを選択する選択画面を表示する。ここで選択画面について図１３を用いて詳細に説明する。図１３は、第二実施形態における選択画面の一例を示す図である。なお、以下では、操作熟練度が「下」である場合を例として用いて説明する。
【０１００】
選択画面６５０は、新たに登録する登録操作画面のベースとする操作画面を選択する画面である。選択画面６５０は、新たに登録する登録操作画面のベースとする操作画面を選択するための操作部（ボタン６５１ａ〜６５１ｅ）と、ベースとして選択された操作画面を表示（プレビュー）する表示部６５２と、ベースとして選択した操作画面にレイアウトの変更を施す場合に用いる操作部（ボタン６５３）と、登録操作画面の変更を中止（レイアウトの変更を中止）する場合に用いる操作部（ボタン６５４）と、ベースとして選択した操作画面を新たな登録操作画面とする場合に用いる操作部（ボタン６５５）とを備える。
【０１０１】
ボタン６５１ａは、１つ目の基本操作画面（操作画面６００ａ）をベースとする場合に操作者が押下する押下式のボタンである。ボタン６５１ｂは、２つ目の基本操作画面（操作画面６００ｂ）をベースとする場合に操作者が押下する押下式のボタンである。ボタン６５１ｃは、３つ目の基本操作画面（操作画面６００ｃ１、ｃ２）をベースとする場合に操作者が押下する押下式のボタンである。ボタン６５１ｄは、４つ目の基本操作画面（操作画面６００ｄ１、ｄ２）をベースとする場合に操作者が押下する押下式のボタンである。ボタン６５１ｅは、現在の登録操作画面をベースとする場合に操作者が押下する押下式のボタンである。
【０１０２】
なお、新たに登録する登録操作画面のベースとする操作画面を選択するための操作部は、レイアウトの変更制限に基づいて表示される操作部が変化する。
具体的には、操作熟練度が「下」である場合には、ベーステンプレートの変更に制限がないため新たに登録する登録操作画面のベースとする操作画面を選択するための操作部として、ボタン６５１ａ〜６５１ｅが表示される。
【０１０３】
一方で、操作熟練度が「中」である場合には、ベーステンプレートの変更に制限が課せられるため、新たに登録する登録操作画面のベースとする操作画面を選択するための操作部として、現在の登録操作画面をベースとする場合に操作する操作部（ボタン６５１ｅ）と、現在の登録操作画面のベースである基本操作画面をベースとする場合に操作する操作部（たとえば、現在の登録操作画面が「＃０００１−４」である場合にはボタン６５１ａ）が表示される。
【０１０４】
そして、操作熟練度が「上」である場合には、ベーステンプレートの変更の制限に加え、ボタンの位置変更の制限が課せられるため、新たに登録する登録操作画面のベースとする操作画面を選択するための操作部として、現在の登録操作画面をベースとする場合に操作する操作部（ボタン６５１ｅ）だけが表示される。
【０１０５】
表示部６５２は、現在選択されている新たに登録する登録操作画面のベースとする操作画面を表示する。図１３に示す選択画面６５０では、表示部６５２は、ボタン６５１ａに対応する操作画面（１つ目の基本操作画面）を表示している。
【０１０６】
ボタン６５３は、新たな登録操作画面を登録するに際して、ベースとして選択した操作画面に対してレイアウトの変更を施す場合に操作者が押下する押下式のボタンである。ボタン６５４は、登録操作画面の変更を中止（レイアウトの変更を中止）する場合に操作者が押下する押下式のボタンである。ボタン６５５は、ベースとして選択中の操作画面にレイアウト変更を施すことなく新たな登録操作画面とする場合に操作者が押下する押下式のボタンである。
【０１０７】
［ステップＳ４］レイアウト変更処理部３２０は、新たに登録する登録操作画面のベースとする操作画面の選択の終了の契機となる操作入力（ボタン６５３、ボタン６５４、ボタン６５５のいずれかの入力）を受付ける。
【０１０８】
［ステップＳ５］レイアウト変更処理部３２０は、受付けた操作入力の内容を判定する。レイアウト変更処理部３２０は、ボタン６５３（レイアウト変更）の入力を受付けたと判定した場合にはステップＳ６にすすみ、ボタン６５４（中止）の入力を受付けたと判定した場合には登録操作画面変更処理を終了し、ボタン６５５（更新）の入力を受付けたと判定した場合にはステップＳ１０にすすむ。
【０１０９】
［ステップＳ６］レイアウト変更処理部３２０は、操作者による登録操作画面のベースとして選択した操作画面からのレイアウトの変更を受付けるレイアウト変更画面を表示する。ここでレイアウト変更画面およびレイアウトの変更方法について図１４〜１６を用いて詳細に説明する。図１４は、第二実施形態におけるレイアウト変更画面の一例を示す図（その１）である。図１５は、第二実施形態におけるレイアウト変更画面の一例を示す図（その２）である。図１６は、第二実施形態におけるレイアウト変更画面の一例を示す図（その３）である。
【０１１０】
レイアウト変更画面６６０ａは、操作者による登録操作画面のベースとして選択した操作画面からのレイアウトの変更を受付ける画面である。レイアウト変更画面６６０ａは、レイアウト変更中の操作画面を表示する表示部６６１と、登録操作画面の変更を中止（レイアウトの変更を中止）する場合に用いる操作部（ボタン６５４）と、ベースとして選択した操作画面からレイアウトを変更した操作画面（表示部６６１に表示された操作画面）を新たな登録操作画面とする場合に用いる操作部（ボタン６６２）と、新たに登録する登録操作画面のベースとする操作画面を再度選択しなおす場合に用いる操作部（ボタン６６３）とを備える。
【０１１１】
表示部６６１は、レイアウト変更中の操作画面を表示する。ボタン６６２は、ベースとして選択した操作画面からレイアウトの変更を施した操作画面（表示部６６１に表示された操作画面）を新たな登録操作画面とする場合に操作者が押下する押下式のボタンである。ボタン６６３は、新たに登録する登録操作画面のベースとする操作画面を再度選択しなおす場合に操作者が押下する押下式のボタンである。
【０１１２】
図１４に示すレイアウト変更画面６６０ａでは、ボタン６２５が選択（変更操作の対象と）されており、ボタン６２５についての詳細情報６２５ａが画面下部に表示されている。ボタン６２５についての詳細情報６２５ａとしては、ボタン６２５の位置（たとえば、中心座標）および大きさを識別可能な情報（左上座標、右下座標）と、ボタン６２５の表示色を識別可能な情報（カラー）とを含む。
【０１１３】
たとえば、トータリゼータシステム１００においては、詳細情報６２５ａの左上座標、右上座標、カラーの項目を選択（タッチ）し、項目に格納された数値を直接変更（たとえば、キーボード入力により変更）することでレイアウトを変更可能となっている。なお、ボタンの位置の変更制限が課せられている場合（操作熟練度が「上」である場合）には、たとえば、ボタンの中心座標が変更するようなレイアウトの変更を受付けないようになっている。
【０１１４】
レイアウト変更画面６６０ｂは、操作者がタッチ入力によってボタン６２５の大きさを変更している様子を示す。トータリゼータシステム１００においては、図１５に示すように操作者が大きさを変更しようとしているボタン（ボタン６２５）を選択した後に、ボタンの中心から外側に向かってボタンが拡大する方向へタッチ入力にすることによってボタンの拡大、ボタンの外側から中心に向かってボタンが縮小する方向へタッチ入力することによってボタンの縮小が可能となっている。
【０１１５】
具体的には、トータリゼータシステム１００においては、操作端末３００は、たとえば、ボタンの中心から外側に向かってボタンが拡大する方向にタッチ入力を受付けた場合には、タッチ入力の終点の座標および当該タッチ入力の傾き（右上がり、右下がり）を検出し、終点の座標とタッチ入力の傾きに基づいて左上座標、および右下座標を特定し、特定した座標を用いて詳細情報６２５ａを更新することでレイアウトを変更する。
【０１１６】
レイアウト変更画面６６０ｃは、操作者がタッチ入力によってボタン６２５の位置を変更している様子を示す。トータリゼータシステム１００においては、図１６に示すように操作者が位置を変更しようとしているボタン（ボタン６２５）を選択した後に、移動させたい任意の位置までタッチ入力することによってボタンの位置を変更可能となっている。
【０１１７】
具体的には、トータリゼータシステム１００においては、操作端末３００は、たとえば、任意の位置までタッチ入力を受付けた場合には、タッチ入力の終点の座標を特定し、当該座標を中心座標として左上座標、および右下座標を特定し、特定した座標を用いて詳細情報６２５ａを更新することでレイアウトを変更する。
【０１１８】
［ステップＳ７］レイアウト変更処理部３２０は、レイアウト変更の終了の契機となる操作入力（ボタン６５４、ボタン６６２、ボタン６６３のいずれかの入力）を受付ける。
［ステップＳ８］レイアウト変更処理部３２０は、受付けた操作入力の内容を判定する。レイアウト変更処理部３２０は、ボタン６５４（中止）の入力を受付けたと判定した場合には登録操作画面変更処理を終了し、ボタン６６２（更新）の入力を受付けたと判定した場合にはステップＳ９にすすみ、ボタン６６３（戻る）の入力を受付けたと判定した場合にはステップＳ３にすすむ。
【０１１９】
［ステップＳ９］レイアウト変更処理部３２０は、ベースとして選択した操作画面からレイアウトの変更を施した操作画面に対応するレイアウト情報を、レイアウト情報記憶部２１０に記憶する。
【０１２０】
［ステップＳ１０］レイアウト変更処理部３２０は、操作者情報テーブル２２１の登録操作画面の項目を更新し、登録操作画面変更処理を終了する。
以上が第二実施形態におけるトータリゼータシステム１００である。このようなトータリゼータシステム１００によれば、レイアウトの変更をする際に操作熟練度が高い操作者ほどレイアウトを大きく変更できない（レイアウトの変更内容が少ない）ように制限するため、前の操作画面に慣れているがためにレイアウトの変更によってかえって当該操作者について操作画面の操作性が低下してしまうことを抑止できる。
【０１２１】
さらには、操作熟練度の低い（不慣れな）操作者については、レイアウトを大きく変更できるようにレイアウトの変更制限を課している（レイアウトの変更の自由度を高くしている）ので、レイアウトの変更による操作性の向上効果も維持できる。
【０１２２】
なお、第二実施形態においては操作熟練度を操作歴（審判歴）によって特定したがこれに限らない。たとえば、操作熟練度を、登録操作画面の使用期間に基づいて特定してもよいし、所定期間内における入力ミスの発生回数に基づいて特定してもよい。この場合でも同様に、登録操作画面の操作に熟練した（登録操作画面に慣れている）操作者に対してより厳しいレイアウトの変更制限を課すことができ（熟練した操作者の操作画面のレイアウトが大きく変更されることを制限でき）、レイアウトの変更によってかえって操作性が低下（入力ミスの発生）することを抑止できる。
【０１２３】
なお、上記の処理機能は、コンピュータによって実現することができる。その場合、装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１２４】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２５】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【０１２６】
また、上記の処理機能の少なくとも一部を、ＤＳＰ、ＡＳＩＣ、ＰＬＤなどの電子回路で実現することもできる。
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。たとえば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【０１２７】
１  レイアウト変更装置
２  制御手段
１０  熟練度情報
１１  制限情報
【図１】
2019101653.tif 000003
【図２】
2019101653.tif 000004
【図３】
2019101653.tif 000005
【図４】
2019101653.tif 000006
【図５】
2019101653.tif 000007
【図６】
2019101653.tif 000008
【図７】
2019101653.tif 000009
【図８】
2019101653.tif 000010
【図９】
2019101653.tif 000011
【図１０】
2019101653.tif 000012
【図１１】
2019101653.tif 000013
【図１２】
2019101653.tif 000014
【図１３】
2019101653.tif 000015
【図１４】
2019101653.tif 000016
【図１５】
2019101653.tif 000017
【図１６】
2019101653.tif 000018